【手続補正書】
【提出日】平成16年8月26日(2004.8.26)
【手続補正１】
【補正対象書類名】明細書
【補正対象項目名】全文
【補正方法】変更
【補正の内容】
【書類名】      明細書
【発明の名称】  情報表示装置
【特許請求の範囲】
【請求項１】 電極を形成した一対の基板間に液晶と高分子ポリマーとを含む液晶層を封入した液晶表示パネルと、前記一対の基板のうち、一方の基板の電極を形成していない面には、補助光源を配置し、前記一方の基板と前記補助光源の間には、反射防止フィルムを有することを特徴とする情報表示装置。
【請求項２】  前記一方の基板と前記反射防止シートとの間に間隙を設けていることを特徴とする請求項１に記載の情報表示装置。
【請求項３】  前記反射防止シートは拡散性を有することを特徴とする請求項１に記載の情報表示装置。
【請求項４】  前記反射防止シートは、ポリマーフィルムにビーズが混入されているものであることを特徴とする請求項３に記載の情報表示装置。
【請求項５】  前記反射防止シートは、表面に凹凸を形成したフィルムであることを特徴とする請求項３に記載の情報表示装置。
【請求項６】  前記液晶表示パネルの外光の入射側には紫外線防止シートを配置することを特徴とする請求項１に記載の情報表示装置。
【請求項７】  前記紫外線防止シートは樹脂にビーズを混入するものであることを特徴とする請求項６に記載の情報表示装置。
【請求項８】  前記補助光源はエレクトロルミネッセントライト、またはＬＥＤ、または豆電球、または蛍光管であることを特徴とする請求項１に記載の情報表示装置。
【発明の詳細な説明】
【０００１】
【発明の属する技術分野】
本発明は液晶表示パネルとその液晶表示パネルを利用して時間、あるいは情報を表示する機能を有する情報表示装置に関して、より視認性を向上すると同時に、第１の基板と第２の基板の間に封入する液晶層を光反応型高分子モノマーと液晶との混合材料への光の照射を容易にし、さらに、腕時計装置として利用する場合に、液晶表示パネルの装飾性の向上と、暗い環境での補助光源での表示を可能とする構造に関する物である。
【０００２】
【従来の技術】
現在、液晶層に高分子ポリマーと液晶の混合材料を利用するものとして、液晶表示パネルでは、投写型液晶表示装置、反射型液晶表示装置の開発が行われているが、腕時計装置等への応用は、風防ガラス側に液晶表示パネルを配置し、観察者が設定端子用入力部から
命令を与えることにより、表示を行うものにとどまる。
【０００３】
さらに、表示は、透明部に時刻等を白色表示を行うものであり、色表示、補助光源を利用する表示等は行われていない。
【０００４】
そのため、散乱型液晶層を利用し、補助光源と液晶表示パネルにより、補助光源の点灯の有無によらず、コントラストの良好な表示を行うことは難しい。
【０００５】
【発明が解決しようとする課題】
以上に説明したように、液晶と高分子ポリマーとの屈折率差により散乱度の制御を行い、表示を行う液晶表示パネルにおいて、外部光を利用する場合と、補助光源を利用する場合に、散乱状態と透過状態で良好なコントラスト比を得ることが難しい。
【０００６】
また、単純な構造により良好なコントラスト比を得ることは、さらに難しく、簡単に補助光源を有する高分子散乱型液晶層が腕時計装置に利用されていない。そのため、簡単な構造で、外部光を利用する場合と補助光源を利用する場合において、良好なコントラスト比が達成できることが望まれている。
【０００７】
【課題を解決するための手段】
上記目的を達成するために、本発明の液晶表示パネルとその液晶表示パネルを利用する腕時計装置においては、下記記載の構成を採用する。
【０００８】
本発明の情報表示装置は、一対の基板として、第１の基板と第２の基板を備え、この第１の基板上に設ける信号電極と、第２の基板上に設ける対向電極と、第１の基板と第２の基板との間に封入する液晶層とを備え、信号電極と対向電極との交点により画素部を構成し、液晶層には、液晶と高分子ポリマーを含む液晶表示パネルと、液晶表示パネルを構成する第１の基板の対向電極を形成していない面には、補助光源を配置する。
【０００９】
本発明は、第１の基板上に設ける信号電極と、第２の基板上に設ける対向電極と、第１の基板と第２の基板との間に封入する液晶層とを備え、信号電極と対向電極との交点により画素部を構成し、液晶層には、液晶と高分子ポリマーを含む液晶表示パネルと、液晶表示パネルを構成する第１の基板の対向電極を形成していない面には、第１の基板と間隙を設けて補助光源を配置する。
【００１０】
本発明は、第１の基板上に設ける信号電極と、第２の基板上に設ける対向電極と、第１の基板と第２の基板との間に封入する液晶層とを備え、信号電極と対向電極との交点により画素部を構成し、液晶層には、液晶と高分子ポリマーを含む液晶表示パネルと、液晶表示パネルを構成する第１の基板の対向電極を形成していない面には、第１の基板と間隙を設けて補助光源を配置し、第１の基板と補助光源の間には、色フィルム、または、散乱性フィルム、または、反射防止フィルムを有する。
【００１１】
本発明は、第１の基板上に設ける信号電極と、第２の基板上に設ける対向電極と、第１の基板と第２の基板との間に封入する液晶層とを備え、信号電極と対向電極との交点により画素部を構成し、液晶層には、液晶と高分子ポリマーを含む液晶表示パネルと、液晶表示パネルを構成する第１の基板の対向電極を形成していない面には、第１の基板と間隙を設けて補助光源を配置し、非表示部は、液晶層の液晶と高分子ポリマーとの屈折率差により散乱状態を示し、表示部は、液晶と高分子ポリマーとの屈折率差の低下による透過特性を示し、散乱特性と透過特性の差により、補助光源からの反射特性の差により表示を行う。
【００１２】
本発明は、第１の基板上に設ける信号電極と、第２の基板上に設ける対向電極と、第１の基板と第２の基板との間に封入する液晶層とを備え、信号電極と対向電極との交点により画素部を構成し、液晶層には、液晶と高分子ポリマーを含む液晶表示パネルと、液晶表示パネルを構成する第１の基板の対向電極を形成していない面には、第１の基板と間隙を設けて補助光源を配置し、さらに、液晶表示パネルを腕時計ケース内に配置し、腕時計ケースには液晶表示パネル上に設ける風防ガラスを有し、風防ガラスの開口部と液晶表示パネルの表示部の各画素部の面積と、第１の基板と補助光源との間隙の大きさの順序が、開口部、補助光源との距離、各画素部の面積の順に小さくなる。
【００１３】
（作用）本発明は、液晶層として、液晶と高分子ポリマーとの屈折率の差を利用し、印加電圧により、散乱度と透過度の制御により表示を行う、高分子散乱型液晶層に関し、簡単な構造により、外部光を利用する場合と補助光源を利用する場合において、良好なコントラスト比を得るために、液晶表示パネルの第１の基板の対向電極を設ける面と逆の面に補助光源を配置する。補助光源の点灯の有無による第１の基板の裏蓋側からの反射率の差分を大きくする、あるいは、明暗を大きくすることにより、良好なコントラスト比を得ることができる。
【００１４】
さらに第１の基板と補助光源とに間隙を設けることにより、高分子散乱型液晶層の前方散乱と後方散乱の両方の特性を利用できるため、散乱度が向上する効果がある。さらに間隙を設けることにより、表示部と非表示部とのバックグラウンドが均一化でき、表示が奇麗になり、腕時計装置などの表示装置に関しては重要な効果となる。
【００１５】
さらに第１の基板と補助光源の間に色フィルムを配置することにより、補助光源の色を変更することができる。さらに、表示内容に応じて色フィルムを同一液晶表示パネルの面内で多色の表示が可能となる。さらに散乱性フィルムまたは反射防止フィルムを配置することにより、補助光源からの反射を防止することが可能となり、補助光源の非点灯時のコントラスト比を向上することが可能となる。
【００１６】
さらにケースの風防の大きさ（開口部）と第１の基板と補助光源との距離と、各画素のピッチの順番を限定することにより、外部光が高分子散乱型液晶層の透過の部分に入射した光は、同一の透過の部分を通過することは、非常に難しく、そのため透過の部分の光は、第１の基板の裏面側より再度入射するが、非表示部の散乱性の部分へ入射するため、コントラスト比を良好にする。
【００１７】
【発明の実施の形態】
以下に本発明を実施するための最良の形態における液晶表示パネルと液晶表示パネルを利用する情報表示装置として腕時計装置について図面を参照しながら説明する。図１は本発明の第１の実施形態に利用する液晶表示パネルの基本構造を示す平面図である。図２は、図１に示すＡ−Ａ線における液晶表示パネルの断面図である。図３は、図１に示す液晶表示パネルの複数文字を表示可能とする液晶表示パネルを腕時計装置に使用する平面模式図である。図４は、図３に示すＢ−Ｂ線における断面模式図である。以下、図１と図２と図３と図４とを交互に用いて第１の実施形態を説明する。
【００１８】
液晶表示パネルは、紙面下面に設ける第１の基板１と紙面上面に設ける第２の基板３を有する。第１の基板１上には、透明導電膜として酸化インジウム酸化スズ（ＩＴＯ）膜からなる対向電極２を設ける。第１の基板１と所定の間隙を有して対向する第２の基板３上には、信号電極４として、７分割の電極１１、１２、１３、１４、１５、１６と１７を設ける。７分割の電極１１から１７により数字等の表示が可能となる。
【００１９】
また、第２の基板３上には、対向電極２を第２の基板３上へ電気的に配置転換を行うた
めの接続電極２２を有する。第１の基板１上の対向電極２の形状は、第２の基板３上に設ける信号電極を覆う領域に設けてある。また、対向電極２は、接着材と導電粒２４により、対向電極２に接続する接続部２３において、第２の基板３上の接続電極２２に接続する。
【００２０】
また、第１の基板１と第２の基板３との間には、液晶に高分子モノマーを含む液晶層５を注入した後に紫外線を第２の基板３側より照射し、高分子ポリマーとする。液晶層５は、第１の基板１と第２の基板３とシール部２５と封口材（図示せず）とにより封入されている。また第１の基板１上と第２の基板３上とには、液晶を規則的に配列するための配向膜は、設けていない。実験により、配向膜は液晶中の高分子モノマーを紫外線により高分子ポリマーの架橋反応を行う時、あるいは、放置信頼性試験により、基板より配向膜が剥がれ、表示にむらが発生したため、本実施形態においては、配向膜は用いていない。
【００２１】
以上の構成を有する液晶表示パネルを腕時計装置に利用する実施形態を図３と図４とを用いて説明する。腕時計装置は、時計ケース３１には、風防ガラス３２と裏蓋部３３を有する。風防ガラス３２側より、第２の基板３と液晶層５とシール材２５と第１の基板１とを配置する。第１の基板１の下面（裏蓋側）には、液晶表示パネルを駆動する回路基板３４上に補助光源３７としてエレクトロルミネッセント（ＥＬ）ライトを実装し、さらに回路基板３４と液晶表示パネルとの電気接続は、ストライプ状の導電性と非導電性を繰り返し積層するゼブラゴム３６により行う。
【００２２】
ここで、第１の基板１の下面にＥＬを配置すると、高分子ポリマーを利用する液晶表示パネルでは、液晶層５に印加する電圧により散乱性から透過性へと変化をするため、表示は散乱性が強い時に、外部光源を散乱し、明るい表示を行う。逆に、透過の強い時には、透過部の周囲の散乱部の光遮蔽効果（影の効果）を利用し、黒（暗い）表示を行う。そのため、ＥＬ上からの反射をできるでけ防止するために、ＥＬ上へ、反射防止シート３８を設置する。さらに、散乱部の遮蔽性を向上するために、第１の基板１と反射防止シート３８とに間隙を設けている。以上により、液晶と高分子ポリマーの屈折率差を利用する散乱性と透過性を電圧により可変する液晶表示パネルにおいて、散乱部による明るい表示と透過部による暗い表示が可能となる。
【００２３】
さらに、補助光源３７であるＥＬを点灯することにより、補助光源３７の観察者（風防ガラス３２側）への光の出射強度は、当然、透過部が散乱部に比較して大きくなる。すなわち、散乱部と透過部にて光の強度に差が発生し、文字の認識ができる。また、補助光源３７の点灯のオン−オフにより、表示が反転し、時計としてはデザイン性のある表示が可能となる、このポジネガ反転の表示は一般の液晶表示パネル、例えば、パソコンの画面では、色、明るさが反転するため、有効ではないが、時計関係では、時刻表示が中心であり、液晶表示パネルの認識時間が短時間で良い、さらに、補助光源３７の点灯時間が短時間のため、ポジネガの表示は、デザイン性の向上に貢献する。
【００２４】
また、回路基板３４の一部には回路基板３４へのエネルギー供給源として電池３５が実装してある。また、図３に示すように、液晶表示パネルにより、午前と午後の表示と時と分３３の表示ができる。また、時刻合わせ等を行うための設定端子用入力部３４を有する。
【００２５】
また、第２の基板３の風防ガラス３２側には、第２の基板３と回路基板３４との接続部とシール材２５、あるいは、外光の透過部への光の入射を防止するために、遮蔽板を設ける。さらに、風防ガラス３２の第２の基板３側には、紫外線による液晶の分解劣化を防止するために、紫外線防止シート３９を設ける。紫外線防止シート３９を風防ガラス３２へ設けることにより、遮蔽板２９の加工性と紫外線防止シート３９の接着による液晶層５の
劣化を防止するためである。
【００２６】
以上の説明より明らかなように、腕時計装置の風防ガラス３２の方向より外部光の照射がある場合には、外部光が腕時計装置の風防ガラス３２→第２の基板３→液晶層５を経由して、第１の基板１→空間→反射防止シート３８へ至り、透過部の反射はほとんどなくなる。逆に散乱部は、第２の基板３→液晶層５により散乱し、液晶層５→第２の基板３→風防ガラス３２から腕時計装置の使用者へ至る。以上のように回路基板３４からの情報が第２の基板３上の信号電極１１から１７に供給され、所定の表示を行い、散乱部と透過部との光学的差分により腕時計装置の観察者へ情報を提供することができる。
【００２７】
逆に、外部光の強度が弱い場合には、腕時計装置の補助光源３７であるＥＬライトからの光が、透過部では、第１の基板１→液晶層５→第２の基板３→風防ガラス３２を経由し、観察者側へ出射される。散乱部では、第１の基板１→液晶層５へ入射して光は、液晶層５により散乱し、第２の基板３か観察者への出射光は非常に弱いため、観察者は情報を透過部と散乱部により認識できる。また、ＥＬライトの色彩を原色にすることにより、認識性が向上する。また、黄色にすることにより金色化して腕時計装置の高級感が得られる。
【００２８】
つぎに、本発明の第２の実施形態における液晶表示パネルと液晶表示パネルを利用する腕時計装置について図面を参照しながら説明する。第２の実施形態においては、高分子ポリマーを有する液晶層５による液晶表示パネルを指針（時針と分針）の裏蓋側に配置するものである。指針を設けるために、液晶表示パネルの紫外線防止シート５１の配置と、補助光源３７の配置を考慮した。また、腕時計装置の時刻表示部上の全面に液晶表示パネルの表示が可能とするために、第２の実施形態は、信号電極７をＭ本有し、対向電極５もＮ本有し、ＭｘＮのマトリクス型の液晶表示パネルの例である。マトリクス型の液晶表示パネルには、各信号電極（図示せず）と対向電極（図示せず）の交点が各画素部となる。各画素部にスイッチング素子を有するアクティブマトリクス型とスイッチング素子を設けないパッシブマトリクス型とがある。本実施形態はどちらにも有効であるが、パッシブマトリクス型を用いて説明する。パッシブマトリクス型を利用することにより、第１の実施形態に比較し高品質の表示を行うことが可能となる。
【００２９】
図５は、液晶表示パネルを利用するデジタル表示と分針と時針とを有するアナログ型の両方を有するコンビネーション型の腕時計装置の平面模式図である。図６は、図５のＣ−Ｃ線における断面模式図である。以下に図５と図６とを交互に用いて第２の実施形態を説明する。
【００３０】
液晶表示パネルは、紙面下面に設ける第１の基板１と紙面上面に設ける第２の基板３を有する。第１の基板１上には、Ｎ本のストライプ電極からなる対向電極を有し、第１の基板１と所定の間隙を有して対向する第２の基板３上には、信号電極をＭ本のストライプ電極として設ける。
【００３１】
また腕時計装置の場合には、回路基板３４と液晶表示パネルの電気的接続を行う実装容積に非常に制限あるため、第１の基板１上のストライプ状の対向電極をシール材２５に導電粒（図示せず）を混ぜ、対向電極と導電粒と第２の基板３上に設けるストライプ状の接続電極により、第２の基板３上に電気的に配置転換を行う。この構造を採用することにより、回路基板３４は、液晶表示パネルに対して単一面にのみ実装を行うのみでよいため、実装容積を非常に小さくすることができる。
【００３２】
また第１の基板１と第２の基板３の間隙には、第１の基板１の外周部にシール部２５を有し、以上の空間に液晶と高分子モノマーを有する液晶層５を注入後、注入口を封口材にて注入口を封止する。
【００３３】
以上の構成を有する液晶表示パネルを腕時計装置に利用する実施形態を図５と図６を用いて説明する。腕時計装置は、時計ケース３１には、風防ガラス３２と裏蓋部３３を有する。風防ガラス３２側より、第２の基板３と液晶層５とシール材２５と第１の基板１とを配置する。液晶表示パネルの中央には、アナログ時計の分針４４と時針４３とを駆動する軸４５が貫通し、さらに、第１の基板１の下面には、補助光源３７としてＥＬを配置し、ＥＬも同様に貫通孔を有する。ＥＬの貫通孔の周囲は、シールにより封止し、機械強度の補強も行った。ＥＬランプ点灯ボタン４２からの制御信号により点灯する。ＥＬはＥＬ接続線（図示せず）により、回路基板３４へ接続している
【００３４】
またＥＬの下面には、アナログ時計部を駆動する機械駆動部と液晶表示パネルを駆動するデジタル回路部の電源回路を有する回路基板３４と電池３５がある。
【００３５】
また液晶表示パネルの第２の基板３上には、液晶層５への紫外線の入射と反射光の制限を行うと同時に、アナログ時計の時刻を示す数字４７を有する時板を設ける。時板が液晶層５への紫外線遮蔽膜として兼用することにより、腕時計装置のように、非常に厚さの限定をするものに関しては、有効な手段である。
【００３６】
さらに回路基板３４と液晶表示パネルとの電気接続は、ストライプ上の導電性材料と非導電性材料を繰り返し積層するゼブラゴム３６により行う。
【００３７】
また、図５に示すように、液晶表示パネルにより、年表示４８と、月表示４９と日表示５０のモード変更を行うモード切り替えボタン４１と、時刻合わせを行うための設定端子用入力部４０を有する。
【００３８】
さらに図６に示すように、第２の基板３の風防ガラス３２側には、液晶層５への紫外線の照射防止と、補助光源３７の非点灯時に液晶表示パネルの透過部への風防ガラス３２からの直接入射光を低減するために、樹脂にビーズを混入する紫外線防止シート５１を設ける。さらに、紫外線防止シート５１上には、アナログ式時計用の時刻文字４７と液晶表示パネルの加工端面、シール材２５を遮蔽するために遮蔽板（図示せず）を設ける。
【００３９】
また本実施形態においては、ＭｘＮのマトリクス型液晶表示パネルを利用し、液晶表示パネルの表示文字の位置を可変し、さらに、透過部と透過部の周辺の散乱部の比率を透過部１に対して散乱部を２以上にするために、密度の大きなマトリクス型液晶表示パネルを表示部に利用することは有効である。さらに、液晶表示パネル上に、補助光源３７の非点灯時に液晶表示パネルの透過部への風防ガラス３２からの直接入射光を低減するために、樹脂にビーズを混入する紫外線防止シート５１を設けることは、散乱性の補助と透過部の反射防止により、散乱部と透過部の比率、すなわち、コントラスト比を大きくすることができる。
【００４０】
さらに、補助光源３７の上面からの反射を防止するために、第１の基板１と補助光源３７の間に間隙を設けている。また、補助光源３７の点灯により、透過部から補助光源３７の光が観察者側に出射し、散乱部の光に対して強い光が出射するため、透過部が明るく、散乱部が暗い表示が可能となり、さらに、風防ガラス３２側より光りが弱く入射（外光）する場合においても、液晶表示パネル上の紫外線防止シート５１により、外光の反射の抑制と、補助光源３７の僅かな散乱により、観察者への視認性が向上する。
【００４１】
以下、本発明の第３の実施形態における液晶表示パネルと液晶表示パネルを利用する腕時計装置について図面を用いて説明する。図７は、第３の実施形態における腕時計装置の構造を示す断面模式図である。図７は、第１の実施形態に示すＢ−Ｂ線の断面に相当する
。以下に、図７を用いて第３の実施形態を説明する。
【００４２】
腕時計装置に利用する実施形態を図３と図４とを用いて説明する。腕時計装置は、時計ケース３１に、風防ガラス３２と裏蓋部３３を有する。風防ガラス３２側より、紫外線防止シート５２と第２の基板３と液晶層５とシール材２５と第１の基板１とを配置する。第１の基板１の下面（裏蓋側）には、液晶表示パネルを駆動する回路基板３４と回路基板３４上には、補助光源３７としてエレクトロルミネッセント（ＥＬ）ライトを実装し、さらに回路基板３４と液晶表示パネルとの電気接続は、ストライプ上の導電性材料と非導電性材料を繰り返し積層するゼブラゴム３６により行う。
【００４３】
さらに第１の基板１の裏蓋（裏面）側には、色フィルムと、補助光源３７とを配置する。色フィルムと補助光源３７との色は同一色とし、たとえば、補助光源の表面が非点灯時（オフ時）に青であれば、青色フィルムを設ける。同一色とすることにより、補助光源３７の点灯時（オン時）に明るい表示が可能となる。さらに、色フィルムを第１の基板１の下面に設けることにより、補助光源３７のオフ時の表示色を色フィルムの吸収により、液晶表示パネルの透過部の補助光源３７の反射率を低減することができる。また、使用する色フィルムを視感度の悪い色を利用することにより、透過部からの反射をより小さくすることができる。
【００４４】
さらに、風防ガラス３２の裏蓋（裏面）側に紫外線防止シート５２と紫外線防止シート５２上に、遮蔽板を設け、さらに、風防ガラス３２と遮蔽板との距離を離すことにより、遮蔽板の影と液晶表示パネルの散乱性により、透過部への透過部周囲からの光の入射を防止することが可能となり、液晶表示パネルのコントラスト比が向上する。
【００４５】
また、風防ガラス３２、または、風防ガラス３２と第２の基板３との間、もしくは各構成部上に設ける遮蔽板の開口部の大きさと、透過部を構成する画素部の面積と、第１の基板１と補助光源３７との間隙の大きさの順を遮蔽板２９の開口部の大きさ＞第１の基板１と補助光源３７との間隙の大きさ＞画素部のピッチの順にすることにより、風防ガラス３２の外光の入射と透過部の入射と反射と観察者の時刻、あるいは、文字の認識角度に関して、散乱部が明るく、透過部が暗い表示とする場合に最適となる。
【００４６】
つぎに、本発明に原理を図面を用いて説明する。図８は、本発明の原理を説明する断面図である。平面構造は、図１に示す構造を用いている。第１の基板１上には、第１の電極２が設けてある。第２の基板３上には、対向電極２と重なり合う信号電極４が設けてある。信号電極４と対向電極２との重なり合う領域（画素部）５５、５７と、信号電極７０と信号電極７０との間隙部５６とを有する。
【００４７】
第１の基板１の下部には補助光源３７としてエレクトロルミネセント（ＥＬ）ライトを有する。さらに、補助光源３７と第１の基板１との間には、拡散性を有する無反射フィルム３８を有する。拡散性を有する無反射フィルム３８は、ポリマーフィルムに屈折率の異なるビーズを混入し、表面に凹凸を形成したフィルムを用いている。
【００４８】
また第２の基板３の風防ガラス（図示せず）側より、第１の入射光５８が入射する。第１の入射光５８は、対向電極６９と信号電極７０との重なり合う画素部５５に入射し、液晶層５は、液晶と高分子ポリマーとの屈折率がほぼ同等となり、強い透過性を示すため、第１の入射光５８は、液晶層５を透過し、補助光源３７上に設ける散乱性を有する無反射フィルム３８へ入射する。散乱性を有する無反射フィルム３８への入射光は、一部補助光源３７へ透過し、一部吸収し、他は、散乱性を有する無反射フィルム３８で散乱と反射され、第１の反射光５９と第２の反射光６０とになる。第１の反射光５９は、信号電極７０の間隙部５６へ入射し、液晶と高分子ポリマーとの屈折率差により散乱され、第１の散乱
光６１と第２の散乱光６２となる。また、第１の反射光５９の一部の光は、第２の基板３へ至るが強度は、弱い。そのため、第１の基板１へ斜めから入射、画素部５５の透過性の液晶層５への光は、観察者（風防側）へは弱い強度の光となる。
【００４９】
また第２の基板３の風防ガラス（図示せず）側より、第２の入射光６３が入射する。第２の入射光６３は、信号電極７０の間隙部５６に入射し、液晶層５は、液晶と高分子ポリマーとの屈折率の差により散乱性を示すため、第２の入射光６３は、液晶層５により散乱され第３の散乱光６４となる。第３の散乱光６４は、風防側に散乱し、観察者に至り、明るいと認識される。
【００５０】
つぎに、第２の基板３の風防ガラス（図示せず）側より、第２の基板３に対してほぼ垂直に第３の入射光６５が入射する。第３の入射光６５は、対向電極６９と信号電極７０との重なり合う画素部５７に入射し、液晶層５は液晶と高分子ポリマーとの屈折率がほぼ同等となり、強い透過性を示すため、第３の入射光５７は、液晶層５を透過し、補助光源３７上に設ける散乱性を有する無反射フィルム３８へ入射する。散乱性を有する無反射フィルム３８において、一部補助光源３７へ透過し、一部吸収し、他は、散乱性を有する無反射フィルム３８で散乱と反射され、第３の反射光６と第４の反射光６７と第５の反射光６８となる。第３の反射光６６は、観察者へ至るが、散乱性を有する無反射フィルム６８上での正反射成分のため、強度的には弱い。また、第４の反射光６７と第５の反射光６８の一部は、液晶層５の散乱により、観察者へ至るが強度的には、非常に弱い。
【００５１】
また透過性の強い、画素部５５、５７の部分と散乱性の強い間隙部５６との観察者への光の強度により、観察者は、情報を認識するため、以上より明らかなように、散乱性を示す間隙部５６が明るく、透過性の強い画素部５５、５７が暗くなる。さらに、散乱性を示す間隙部５６の面積と透過性を示す画素部５５、５７との面積は、散乱性を示す間隙部５６を大きく、透過性の強い画素部５５、５７を小さくすることが有効である。
【００５２】
さらに、第１の基板１と散乱性を有する無反射フィルム３８との間隙も大きくすることが望ましいが、腕時計装置の厚さとの兼ね合いで決定する。
【００５３】
また、補助光源３７が点灯する際には、散乱性を有する無反射フィルム３８により散乱されるが、散乱性を有する無反射フィルム３８の風防側からの入射光の散乱と補助光源３７側からの入射光との散乱性に異方性を持たせることにより、補助光源３７側からの入射光の散乱性を低下することができる。
【００５４】
すなわち、文字表示等を行う透過性の強い、間隙部５６を小さくし、第１の基板１と補助光源３７、第１の基板１と散乱性を有する無反射フィルム３８との距離を間隙部５６に比較し、大きくする。さらに、第２の基板３上に設ける遮蔽板を表示部へ近づけることが重要となる。
【００５５】
【発明の効果】
本発明の腕時計装置は、液晶層として、液晶と高分子ポリマーとの屈折率の差を利用し、印加電圧により、散乱性と透過性の制御により表示を行う、高分子散乱型液晶層に関し、簡単に構造により、外部光を利用する場合と補助光源を利用する場合において、良好なコントラスト比を得るために、液晶表示パネルの第１の基板の対向電極を設ける面と逆の面に補助光源を配置する。補助光源の点灯の有無による反射率の差分を大きくする、あるいは明暗を大きくすることにより、良好なコントラスト比を得ることができる。
【００５６】
さらに第１の基板と補助光源とに間隙を設けることにより、高分子散乱型液晶層の前方散乱と後方散乱の両方の特性を利用できるため、散乱度が向上する効果がある。さらに間隙を設けることにより、表示部と非表示部とのバックグラウンドが均一化でき、表示が奇
麗になり、腕時計装置に関しては重要な効果となる。
【００５７】
さらに、第１の基板と補助光源の間に色フィルムを配置することにより、補助光源の色を変更することができる。さらに、表示内容に応じて色フィルムを同一液晶表示パネルの面内で多色の表示が可能となる。あるいは、散乱性を有する無反射フィルム、無反射フィルムを用いる。
【００５８】
さらに、腕時計ケースの風防の大きさ（開口部）と第１の基板と補助光源との距離と、各画素のピッチの順番を限定することにより、外部光が高分子散乱型液晶層の透過の部分に入射した光は、同一の透過の部分を通過することは、非常に難しく、そのため透過の部分の光は、第１の基板の裏面側より再度入射するが、非表示部の散乱性の部分へ入射するため、コントラスト比を良好にする。
【００５９】
以上に説明した実施形態においては、補助光源としてエレクトロルミネッセント（ＥＬ）ライトを使用する場合に関して説明を行ったが、ライトエミッテドダイオード（ＬＥＤ）、豆電球、蛍光管を利用しても当然同様の効果を得ることは可能であるが、腕時計装置のデザイン性を考え、薄型化に有効である、ＥＬライトを利用し説明を行った。
【図面の簡単な説明】
【図１】  本発明の第１の実施形態における液晶表示パネルを示す平面図である。
【図２】  本発明の第１の実施形態における液晶表示パネルを示す断面図である。
【図３】  本発明の第１の実施形態における液晶表示パネルを利用する腕時計装置を模式的に示す平面図である。
【図４】  本発明の第１の実施形態における液晶表示パネルを利用する腕時計装置を模式的に示す断面図である。
【図５】本発明の第２の実施形態における腕時計装置を模式的に示す平面図である。
【図６】本発明の第２の実施形態における腕時計装置を模式的に示す断面図である。
【図７】本発明の第３の実施形態における腕時計装置を模式的に示す断面図である。
【図８】本発明の原理を示すための腕時計装置の一部をを模式的に示す断面図である。
【符号の説明】
１  第１の基板
２  対向電極
３  第２の基板
４  信号電極
５  液晶層
２９  遮蔽板
３１  時計ケース
３２  風防ガラス
３３  裏蓋
３４  回路基板
３５  電池
３７  補助光源
３８  フィルム
５８  第１の入射光
５９  第１の反射光
６１  第１の散乱光